(57)【特許請求の範囲】
【請求項１】
熱源機と、搬送手段に接続された流路を内部に埋設した蓄熱体と、前記熱源機により温熱、あるいは冷熱を与えられた熱媒体を所定の時間帯中に前記流路に流通させることにより、目標とする蓄熱量を前記蓄熱体に蓄熱あるいは蓄冷させ、所定の時間帯経過後に前記蓄熱体から放熱あるいは吸熱させることにより室内を空調する蓄熱空調システムの、前記蓄熱体内部に蓄熱体温度を検出するための第一の温度測定手段と、外気温度を測定するための第二の温度測定手段とを備え、前記蓄熱体に目標蓄熱量を蓄熱するための前記熱媒体の温度と、前記熱媒体を流通させる蓄熱時間を、前記第一および第二の温度検出手段により検出された前記蓄熱体温度と前記外気温度に基づいて決定する蓄熱条件決定手段と前記蓄熱条件決定手段に従って前記熱源機を制御する熱源機制御手段と、現在時刻と運転時間を確認する時刻処理手段とを備え、前記蓄熱体に流入する熱媒体の流入温度を測定する第三の温度測定手段と、前記蓄熱体から流出する前記熱媒体の流出温度を測定する第四の温度測定手段と、前記第三の温度測定手段、および前記第四の温度測定手段により測定された前記熱媒体の流入出温度差が所定の温度差以下であるかないかを判定する第一の温度差判定手段とを備え、前記第一の温度差判定手段の判定が所定の温度差以下である場合、蓄熱時間内であっても熱源機および搬送手段を停止させ、前記熱媒体の流通を停止し、前記蓄熱体への蓄熱を終了する蓄熱空調システム。
【請求項２】
室内温度を測定する第五の温度測定手段を備え、前記室内温度と第二の温度測定手段により検出された外気温度が所定の温度域であるかないかを判定する第二の温度差判定手段とを備え、前記第二の温度差判定手段の判定が所定の温度域である場合は、熱媒体の流入流出温度差が所定の温度差以下になった場合でも、熱源機および搬送手段を停止させずに、前記熱媒体を継続して流通させ蓄熱を行なう請求項１記載の蓄熱空調システム。
【請求項３】
第三の温度測定手段より下流側に設けた分岐手段により流路を複数系統に分岐し、第四の温度測定手段の上流側に設けた結合手段により前記複数系統の流路を結合させ、蓄熱体内部に前記複数系統の流路を形成した請求項１または２記載の蓄熱空調システム。
【請求項４】
分岐手段により分岐された複数系統の流路それぞれに流路の開閉を行なう複数の流路開閉手段と、結合手段より上流側にそれぞれの流路の内部を流れる熱媒体の温度を測定する複数の第六の温度測定手段を設け、第三の温度測定手段により測定された流入温度と前記第六の温度測定手段により測定された複数系統の流路のそれぞれの温度との温度差が所定の温度差以下であるかないかを判定する第三の温度差判定手段と、前記複数の流路開閉手段のそれぞれの開閉を制御する流路開閉制御手段と前記流路開閉手段の開閉状態を記憶する開閉状態記憶手段を備え、前記第三の温度差判定手段の判定が所定の温度差以下である場合、蓄熱時間内であっても前記第三の温度差判定手段の判定が所定の温度差以下である流路に設けた前記流路開閉手段を閉状態とし、前記第三の温度差判定手段の判定が所定の温度差以下である流路への前記熱媒体の流通を停止するとともに、すべての前記流路開閉手段が閉状態になった場合は、前記蓄熱時間内であっても熱源機および搬送手段を停止させ、前記熱媒体の流通を停止し、蓄熱体への蓄熱を終了する請求項３記載の蓄熱空調システム。
【請求項５】
室内温度と外気温度が所定の温度域の場合は、第三の温度差判定手段の判定が所定の温度差以下の場合でも、前記第三の温度差判定手段の判定が所定の温度差以下である流路に設けた流路開閉手段を閉状態とせずに、前記第三の温度差判定手段の判定が所定の温度差以下である流路へ熱媒体を継続して流通させ蓄熱を行なう請求項４記載の蓄熱空調システム。
【請求項６】
蓄熱体を建物の床下に配置し、前記蓄熱体の上方に位置する床面から放熱あるいは吸熱させることにより室内を空調するようにし、分岐手段により分岐させた複数系統の流路は、前記建物の方位に従って前記蓄熱体内部に埋設したことを特徴とする請求項３、４、または５記載の蓄熱空調システム。
【請求項７】
分岐手段により分岐させた複数系統の流路を、床上の居室空間に対応させて蓄熱体内部に埋設したことを特徴とする請求項３、４、５、または６記載の蓄熱空調システム。
【請求項８】
分岐手段により分岐させた複数系統の流路を埋設した蓄熱体を断熱材により前記複数系統の流路に従って複数の区画に仕切ったことを特徴とする請求項３、４、５、６、または７記載の蓄熱空調システム。
【請求項９】
第三の温度測定手段を断熱材により仕切られた複数の区画の蓄熱体への流入部の流路にそれぞれ配置し、第六の温度測定手段を前記断熱材により仕切られた複数の区画の蓄熱体の流出部の流路にそれぞれ配置したことを特徴とする請求項８記載の蓄熱空調システム。
【請求項１０】
室内温度を測定する第五の温度測定手段を、分岐手段により分岐された複数系統の流路のそれぞれの蓄熱体の上方に位置する室内温度を測定するように複数個備え、前記複数個の第五の温度計測手段毎の温度変化と、第二の温度測定手段により測定された外気温度の変化を記憶する記憶手段と、前記記憶手段により記憶した複数の室内温度変化と外気温度変化から当日の各室内空調負荷を算出する空調負荷算出手段と、前日と当日の任意の同時刻の外気温度の差から前記空調負荷算出手段により算出された各室内空調負荷を修正し、翌日の各室内空調負荷を予測する空調負荷予測手段と、前記空調負荷予測手段により予測された各室内の空調負荷に基づいて各系統の蓄熱体への目標蓄熱量を算出する第一の目標蓄熱量算出手段を備えた請求項５、６、７、８、または９記載の蓄熱空調システム。
【請求項１１】
日時を管理する日時管理手段を備え、前記日時管理手段からの日時情報に基づいて目標蓄熱量を算出する第二の目標蓄熱量演算手段とを備えた請求項１、２、３、４、５、６、７、８、または９記載の蓄熱空調システム。
【請求項１２】
情報サービス提供手段を利用して翌日の気象情報を取り込む気象情報収集手段と、前記情報サービス提供手段からの翌日の気象情報に基づいて目標蓄熱量を算出する第三の目標蓄熱量演算手段とを備えた請求項１、２、３、４、５、６、７、８、または９記載の蓄熱空調システム。
【請求項１３】
目標蓄熱量に基づき決定された蓄熱運転条件を居住者に知らせるための運転条件表示手段と居住者が蓄熱運転条件を任意に設定できる蓄熱運転設定手段と熱源機の運転状態を表示するための運転状態表示手段を備えた請求項１、２、３、４、５、６、７、８、９、１０、１１、または１２記載の蓄熱空調システム。
【請求項１４】
通信手段を備えた情報処理端末機と前記情報処理端末機と熱源機を接続し、前記情報処理端末機は通信手段により翌日の気象情報を取り込み、前記気象情報基づいて目標蓄熱量を算出する第四の目標蓄熱量演算とを備えた請求項１、２、３、４、５、６、７、８、９、または１３記載の蓄熱空調システム。
【発明の詳細な説明】
【０００１】
【発明の属する技術分野】
本発明は、蓄熱体を用いて室内の暖房や冷房を行なう蓄熱空調システムに関する。
【０００２】
【従来の技術】
従来、この種の蓄熱空調システムは、特開平１０−５４５７３号公報に記載されたものが知られている。
【０００３】
以下、その蓄熱空調システムについて図２２を参照しながら説明する。
【０００４】
図に示すように、コンクリート１０５に断熱材１０４が敷かれ、前記断熱材１０４の上部には、電気ヒータ１０７が内部に設置された蓄熱材１０６、および前記蓄熱材１０６の上部に設置された温度センサー１０８が埋設された玉砂利コンクリート１０２が敷かれ、前記玉砂利コンクリート１０２にはワイヤーメッシュ１０３が敷設され、最上部には床仕上げ材１０１が敷かれた構造となっている。前記電気ヒータ１０７にはゲート回路１１１を介して電力源１１０が接続されており、この電力源１１０から各電気ヒータ１０７へ電力が供給される。蓄熱制御装置１０９は前記温度センサー１０８に接続されており、前記温度センサー１０８からの出力信号を受信し、この信号に基づいて前記蓄熱材１０６の温度を測定できるようになっている。この蓄熱制御装置１０９は、ある所定の時刻に前記蓄熱材１０６の温度を検知し、その蓄熱材温度に基づいて電気ヒータ１０７への深夜電力時間帯における電力供給開始時刻を決定し、深夜電力終了時刻まで前記電気ヒータ１０７に電力を供給し、前記蓄熱材１０６への蓄熱を行う。
【０００５】
【発明が解決しようとする課題】
このような従来の蓄熱空調システムでは、蓄熱量を蓄熱時間のみによって制御するため蓄熱量の制御範囲、とくに最低蓄熱量の制御に限界があるという課題があり、蓄熱量の制御範囲を拡大するとともに、過剰な蓄熱エネルギーの投入によるエネルギーの浪費を防止し、省エネルギー化を図ることが要求されている。
【０００６】
また、床上の居住空間は、方位、用途などにより必要空調負荷が異なるため、蓄熱体へ空調対象空間に見合った蓄熱量を蓄熱するとともに、快適性の高い居住空間を実現することが要求されている。
【０００７】
本発明は、このような従来の課題を解決するものであり、蓄熱量の制御範囲を拡大でき、過剰なエネルギー投入を防止し、また、空調対象空間に見合った蓄熱量を蓄熱体へ蓄熱することでき、快適性の高い空調を行なうことのできる蓄熱空調システムをを提供することを目的としている。
【００１０】
【課題を解決するための手段】
本発明の蓄熱空調システムは上記目的を達成するために、熱媒体の蓄熱体流入流出温度差を測定するようにし、前記蓄熱体流入流出温度差が所定の温度以下となった場合、前記熱媒体の蓄熱体への流通を停止させるものである。
【００１１】
そして、本発明によれば、蓄熱体への過剰な蓄熱エネルギー投入を防止することができる蓄熱空調システムが得られる。また、蓄熱量を容易に制御することができ、蓄熱量の制御範囲の広い蓄熱空調システムが得られる。
【００１２】
また、他の手段は、室内温度と外気温度が所定の温度域の場合、熱媒体の蓄熱体流入流出温度差が所定の温度差以下となっても、前記熱媒体の蓄熱体への流通を停止させないようにしたものである。
【００１３】
そして、本発明によれば、室内温度と外気温度から空調負荷が大きいと判断できる場合には、蓄熱を継続させることにより、空調負荷に見合った蓄熱量を蓄熱できる蓄熱空調システムが得られる。
【００１４】
また、他の手段は、熱媒体流路を複数系統に分岐させて蓄熱体へ蓄熱させるようにしたものである。
【００１５】
そして、本発明によれば、蓄熱体全体に効率よく蓄熱することができ、快適性も高い空調を行なうことのできる蓄熱空調システムが得られる。
【００１６】
また、他の手段は、分岐手段により分岐された流路それぞれに流路の開閉を行なう流路開閉手段を設け、分岐されたそれぞれの流路の結合手段より上流側に、それぞれの流路の内部を流れる熱媒体の温度を測定する温度測定手段を設け、蓄熱体への流入温度と、分岐したそれぞれの流路における前記結合手段前の熱媒体との温度差が所定の温度以下の場合、前記温度差が所定の温度以下となった流路に設けられた前記開閉手段を閉状態とするようにしたものである。
【００１７】
そして、本発明によれば、飽和状態と判断される蓄熱系統への過剰な蓄熱エネルギーの投入を防止でき、飽和状態と判断される系統の流路を閉状態とし、飽和状態に至っていない他の蓄熱系統へ蓄熱エネルギーを投入することにより、効率よく蓄熱体への蓄熱を行なうことができる蓄熱空調システムが得られる。
【００１８】
また、他の手段は、室内温度と外気温度が所定の温度域の場合、熱媒体の蓄熱体流入温度と、複数系統に分岐された流路における結合手段前の熱媒体温度との温度差が所定の温度以下となっても、所定の温度以下となった流路に設けられた開閉手段を閉状態とせず、熱媒体の蓄熱体への流通を停止させないようにしたものである。
【００１９】
そして、本発明によれば、室内温度と外気温度から空調負荷が大きいと判断できる場合には、蓄熱を継続させることにより、空調負荷に見合った蓄熱量を蓄熱できる蓄熱空調システムが得られる。
【００２０】
また、他の手段は、複数の系統に分岐した流路を建物の方位に従って、蓄熱体内部に埋設したものである。
【００２１】
そして、本発明によれば、それぞれの方位の蓄熱体に、それぞれの方位の空調負荷に応じて、それぞれの蓄熱体への蓄熱量制御することができる蓄熱空調システムが得られる。
【００２２】
また、他の手段は、複数の系統に分岐した流路を床上の居住空間に対応させて、蓄熱体内部に埋設したものである。
【００２３】
そして、本発明によれば、それぞれの系統の蓄熱体に対応した居住空間の空調負荷に応じて、それぞれの系統の蓄熱体への蓄熱量を制御することができる蓄熱空調システムが得られる。
【００２４】
また、他の手段は、複数系統に分岐した流路を埋設した各系統毎の蓄熱体を断熱材により仕切ったものである。
【００２５】
そして、本発明によれば、それぞれの系統の蓄熱体に異なる熱量を蓄熱した際、隣接する他の系統の蓄熱体へ熱が移動することを抑制し、それぞれの蓄熱体に蓄熱された熱が、それぞれの蓄熱体に対応する空調空間の空調に反映される蓄熱空調システムが得られる。
【００２６】
また、他の手段は、複数系統に分岐した流路に応じて断熱材により仕切られた蓄熱体への熱媒体の流入温度と前記蓄熱体からの流出温度を測定するようにしたものである。
【００２７】
そして、本発明によれば、断熱材により複数に仕切られた蓄熱体のそれぞれの蓄熱状態を把握することにより、効率のよい蓄熱を行なうことができ、過剰な蓄熱エネルギーの投入を防止できる蓄熱空調システムが得られる。
【００２８】
また、他の手段は、複数系統に分岐された流路を埋設した複数系統の蓄熱体に対応した室内温度と外気温度を測定し、それぞれの温度変化を記憶し、記憶された前記温度変化から前記複数系統の蓄熱体に対応した室内の空調負荷を予測し、前記複数系統の蓄熱体への目標蓄熱量を算出し蓄熱するようにしたものである。
【００２９】
そして、本発明によれば、複数系統に分岐された流路を埋設した複数系統の蓄熱体に対応した室内の空調負荷に見合った蓄熱量を前記複数系統の蓄熱体へ蓄熱することのできる蓄熱空調システムが得られる。
【００３０】
また、他の手段は、日時を管理する日時管理手段を備え、日時情報に基づいて目標蓄熱量を算出し蓄熱体への蓄熱を行うようにしたものである。
【００３１】
そして、本発明によれば日時情報から、その時期の空調負荷に見合った蓄熱量を蓄熱体へ蓄熱することのできる蓄熱空調システムが得られる。
【００３２】
また、他の手段は、情報サービス提供手段を利用して翌日の気象情報を取り込み、翌日の最高気温、最低気温、天候から翌日の空調負荷を予測し、前記空調負荷に見合った熱量を蓄熱するようにしたものである。
【００３３】
そして、本発明によれば、翌日の空調負荷に見合った熱量を蓄熱体へ蓄熱することのできる蓄熱空調システムが得られる。
【００３４】
また、他の手段は、目標蓄熱量に基づき決定された蓄熱運転条件を居住者が任意に設定変更でき、また運転状態を居住者が確認できるようにしたものである。
【００３５】
そして、本発明によれば、居住者の志向に合った蓄熱運転が行うことにより快適性の高い空調が実現でき、運転状態を確認できるため、熱源機の停止忘れなどを防止できる蓄熱空調システムが得られる。
【００３６】
また、他の手段は、通信手段を備えた情報処理端末機と前記情報処理端末機と熱源機を接続し、前記情報処理端末機は前記通信手段により翌日の気象情報を取り込み、翌日の最高気温、最低気温、天候から翌日の空調負荷を予測し、その空調負荷に見合った熱量を蓄熱するようにすると同時に、情報処理端末機上で熱源機の運転状況、運転条件設定変更をできるようにしたものである。
【００３７】
そして、本発明によれば、翌日の空調負荷に見合った熱量を蓄熱体へ蓄熱することのでき、専用の制御機器を用いることなく、情報処理端末機で熱源機の運転管理を行うことのできる蓄熱空調システムが得られる。
【００３９】
【発明の実施の形態】
本発明は、熱源機と、搬送手段に接続された流路を内部に埋設した蓄熱体と、前記熱源機により温熱、あるいは冷熱を与えられた熱媒体を所定の時間帯中に前記流路に流通させることにより、目標とする蓄熱量を前記蓄熱体に蓄熱あるいは蓄冷させ、所定の時間帯経過後に前記蓄熱体から放熱あるいは吸熱させることにより室内を空調する蓄熱空調システムの、前記蓄熱体内部に蓄熱体温度を検出するための第一の温度測定手段と外気温度を測定するための第二の温度測定手段とを備え、前記蓄熱体に目標蓄熱量を蓄熱するための前記熱媒体の温度と、前記熱媒体を流通させる蓄熱時間とを前記第一および第二の温度検出手段により検出された前記蓄熱体温度と前記外気温度に基づいて決定する蓄熱条件決定手段と前記蓄熱条件決定手段に従って前記熱源機を制御する熱源機制御手段と、現在時刻と運転時間を確認する時刻処理手段を備え、前記蓄熱体に流入する熱媒体の流入温度を測定する第三の温度測定手段と、前記蓄熱体から流出する前記熱媒体の流出温度を測定する第四の温度測定手段と、前記第三および第四の温度測定手段により測定された前記熱媒体の流入出温度差が所定の温度差以下であるかないかを判定する第一の温度差判定手段を備えたものであり、前記第一の温度差判定手段の判定が所定の温度差以下である場合、前記蓄熱体の蓄熱状態は飽和状態であると判断し、蓄熱時間内であっても熱源機および搬送手段を停止させ、前記熱媒体の流通を停止し、前記蓄熱体への蓄熱を終了するという作用を有する。また、前記蓄熱条件決定手段は、前記熱媒体温度と蓄熱時間を変化させることにより得られる蓄熱量制御範囲の広い蓄熱条件の中から、目標蓄熱量を所定の時間帯内で蓄熱するために適した前記熱媒体温度と蓄熱時間とを決定し、前記熱源機制御手段は、前記蓄熱条件決定手段により決定された温度の熱媒体が得られるように熱源機の運転を制御し、前記蓄熱条件決定手段により決定された時間継続して前記熱媒体を蓄熱体へ流通させることにより、目標蓄熱量を蓄熱するという作用を有する。
【００４０】
また、室内温度を測定する第五の温度測定手段を備え、前記室内温度と第二の温度測定手段により検出された外気温度が所定の温度域であるかないかを判定する第二の温度差判定手段を備えたものであり、前記第二の温度差判定手段の判定が所定の温度域である場合は、熱媒体の流入流出温度差が所定の温度差以下になった場合でも、熱源機および搬送手段を停止させずに、前記熱媒体を継続して流通させ蓄熱を行なうという作用を有する。
【００４１】
また、第三の温度測定手段より下流側に設けた分岐手段により流路を複数系統に分岐し、第四の温度測定手段の上流側に設けた結合手段により複数系統の流路を結合させ、蓄熱体内部に複数系統の流路を形成したものであり、蓄熱体全域に効率よく蓄熱を行なうことができ、快適性の高い空調を行なうことができる。
【００４２】
また、分岐手段により分岐された複数系統の流路それぞれに流路の開閉を行なう複数の流路開閉手段と、結合手段より上流側にそれぞれの流路の内部を流れる熱媒体の温度を測定する複数の第六の温度測定手段を設け、第三の温度測定手段により測定された流入温度と前記第六の温度測定手段により測定された複数系統の流路のそれぞれの前記熱媒体の温度との温度差が所定の温度差以下であるかないかを判定する第三の温度差判定手段と、前記複数の流路開閉手段のそれぞれの開閉を制御する流路開閉制御手段と前記流路開閉手段の開閉状態を記憶する開閉状態記憶手段を備えたものであり、前記第三の温度差判定手段の判定が所定の温度差以下である場合、蓄熱時間内であっても前記第三の温度差判定手段の判定が所定の温度差以下である流路に設けた前記流路開閉手段を閉状態とし、前記第三の温度差判定手段の判定が所定の温度差以下である流路への前記熱媒体の流通を停止するとともに、すべての前記流路開閉手段が閉状態になった場合は、蓄熱時間内であっても熱源機および搬送手段を停止させ、前記熱媒体の流通を停止し、前記蓄熱体への蓄熱を終了するという作用を有する。
【００４３】
また、室内温度と外気温度が所定の温度域の場合は、第三の温度差判定手段の判定が所定の温度差以下の場合でも、前記第三の温度差判定手段の判定が所定の温度差以下である流路に設けた流路開閉手段を閉状態としないものであり、前記第三の温度差判定手段の判定が所定の温度差以下である流路へ熱媒体を継続して流通させ蓄熱を行なうという作用を有する。
【００４４】
また、蓄熱体を建物の床下に配置し、蓄熱体の上方に位置する床面から放熱あるいは吸熱させることにより室内を空調するようにし、分岐手段により分岐させた複数系統の流路は、前記建物の方位に従って前記蓄熱体内部に埋設したものであり、方位によって異なる空調負荷に応じた蓄熱条件で、それぞれの方位に配置された系統の蓄熱体へ蓄熱することができる。
【００４５】
また、分岐手段により分岐させた複数系統の流路を、床上の居住空間に対応させて蓄熱体内部に埋設したものであり、前記複数系統の流路を埋設した前記蓄熱体の床上に対応した居住空間の用途によって異なる空調負荷に応じた蓄熱条件で、それぞれの居住空間の下に配置された蓄熱体へ蓄熱することができる。
【００４６】
また、分岐手段により分岐させた複数系統の流路を埋設した蓄熱体を断熱材により前記複数系統の流路に従って複数の区画に仕切ったものであり、異なる蓄熱量を蓄熱した隣接する蓄熱体間の熱の移動を抑制することができる。
【００４７】
また、第三の温度測定手段を断熱材により仕切られた複数の区画の蓄熱体への流入部の流路にそれぞれ配置し、第六の温度測定手段を前記断熱材により仕切られた複数の区画の蓄熱体の流出部の流路にそれぞれ配置したものであり、前記断熱材で仕切られた複数の区画の蓄熱体における前記熱媒体の流入温度、および、流出温度から、前記複数の区画毎の蓄熱体の蓄熱状態を把握することにより、効率のよい蓄熱を行なうことができ、過剰な蓄熱エネルギーの投入を防止できる。
【００４８】
また、室内温度を測定する第五の温度測定手段を、分岐手段により分岐された複数系統の流路のそれぞれの蓄熱体の上方に位置する室内温度を測定するように複数個備え、前記複数個の第五の温度測定手段毎の温度変化と、第二の温度測定手段により測定された外気温度の変化を記憶する記憶手段と、前記記憶手段により記憶した複数の室内温度変化と外気温度変化から当日の各室内空調負荷を算出する空調負荷算出手段と、前日と当日の任意の同時刻の外気温度の差から前記空調負荷算出手段により算出された各室内空調負荷を修正し、翌日の各室内空調負荷を予測する空調負荷予測手段と前記空調負荷予測手段により予測された各室内の空調負荷に基づいて、複数系統の蓄熱体への目標蓄熱量を算出する第一の目標蓄熱量算出手段を備えたものであり、蓄熱条件決定手段は、熱媒体温度と蓄熱時間を変化させることにより得られる蓄熱量制御範囲の広い蓄熱条件の中から、前記第一の目標蓄熱量算出手段により算出された複数系統の蓄熱体への目標蓄熱量を所定の時間帯内で蓄熱するために適した前記熱媒体温度、蓄熱時間を決定し、熱源機制御手段は、前記蓄熱条件決定手段により決定された温度の熱媒体が得られるように熱源機の運転を制御し、前記蓄熱条件決定手段により決定された時間継続して前記熱媒体を複数系統の蓄熱体へ流通させることにより、前記複数系統の蓄熱体の目標蓄熱量を蓄熱するという作用を有する。
【００４９】
また、日時を管理する日時管理手段を備え、前記日時管理手段からの日時情報に基づいて目標蓄熱量を算出する第二の目標蓄熱量演算手段とを備えたものであり、蓄熱条件決定手段は、熱媒体温度と蓄熱時間を変化させることにより得られる蓄熱量制御範囲の広い蓄熱条件の中から、前記第二の目標蓄熱量演算手段により算出された蓄熱体の目標蓄熱量を所定の時間帯内で蓄熱するために適した前記熱媒体温度、蓄熱時間を決定し、熱源機制御手段は、前記蓄熱条件決定手段により決定された温度の熱媒体が得られるように熱源機の運転を制御し、前記蓄熱条件決定手段により決定された時間継続して前記熱媒体を前記蓄熱体へ流通させることにより、前記蓄熱体の目標蓄熱量を蓄熱するという作用を有する。
【００５０】
また、情報サービス提供手段を利用して翌日の気象情報を取り込む気象情報収集手段と、前記情報サービス提供手段からの翌日の気象情報に基づいて目標蓄熱量を算出する第三の目標蓄熱量演算手段とを備えたものであり、前記第三の目標蓄熱量算出手段は翌日の最高気温、最低気温、天候から翌日の空調負荷を予測し、その空調負荷に見合った蓄熱量を目標蓄熱量として算出し、蓄熱条件決定手段は、熱媒体温度と蓄熱時間を変化させることにより得られる蓄熱量制御範囲の広い蓄熱条件の中から、前記第三の目標蓄熱量演算手段により算出された前記蓄熱体の目標蓄熱量を所定の時間帯内で蓄熱するために適した前記熱媒体温度、蓄熱時間を決定し、熱源機制御手段は、前記蓄熱条件決定手段により決定された温度の熱媒体が得られるように熱源機の運転を制御し、前記蓄熱条件決定手段により決定された時間継続して前記熱媒体を蓄熱体へ流通させることにより、前記蓄熱体の目標蓄熱量を蓄熱するという作用を有する。
【００５１】
また、目標蓄熱量に基づき決定された蓄熱運転条件を居住者に知らせるための運転条件表示手段と居住者が蓄熱運転条件を任意に設定できる蓄熱運転設定手段と熱源機の運転状態を表示するための運転状態表示手段を備えたものであり、前記運転条件表示手段に表示されている前記蓄熱運転条件決定手段により決定された熱源機の運転条件が、居住者の志向に適していない場合は、前記蓄熱運転設定手段により居住者が任意の運転条件に設定変更でき、熱源機制御手段は蓄熱条件決定手段により決定された運転条件と前記蓄熱運転設定手段により設定された運転条件が異なる場合は、前記蓄熱運転設定手段により設定された運転条件に基づいて熱源機の運転を制御し、また、運転状態表示手段により熱源機の運転状態を表示させることにより、居住者が任意に熱源機を運転させた場合の熱源機の停止忘れを防止するという作用を有する。
【００５２】
また、通信手段を備えた情報処理端末機と前記情報処理端末機と熱源機を接続し、前記情報処理端末機は前記通信手段により翌日の気象情報を取り込み、前記気象情報基づいて目標蓄熱量を算出する第四の目標蓄熱量演算とを備えたものであり、前記第四の目標蓄熱量算出手段は翌日の最高気温、最低気温、天候から翌日の空調負荷を予測し、その空調負荷に見合った蓄熱量を目標蓄熱量として算出し、蓄熱条件決定手段は、熱媒体温度と蓄熱時間を変化させることにより得られる蓄熱量制御範囲の広い蓄熱条件の中から、前記第四の目標蓄熱量演算手段により算出された蓄熱体の目標蓄熱量を所定の時間帯内で蓄熱するために適した前記熱媒体温度、蓄熱時間を決定し、熱源機制御手段は、前記蓄熱条件決定手段により決定された温度の熱媒体が得られるように熱源機の運転を制御し、前記蓄熱条件決定手段により決定された時間継続して前記熱媒体を蓄熱体へ流通させると同時に、情報処理端末機に、前記目標蓄熱量に基づき決定された蓄熱運転条件表示機能と居住者が前記蓄熱運転条件を任意に設定できる蓄熱運転設定機能と前記熱源機の運転状態を表示するための運転状態表示機能を搭載し、前記情報処理端末機操作により前記熱源機の運転を制御できるという作用を有する。
【００５３】
以下、本発明の実施例について図面を参照しながら説明する。
【００５４】
【実施例】
（参考例１）
以下、参考例１について、図１および図２を参照しながら説明する。図１は本実施例に用いる蓄熱空調システムの概略図であり、図２はその制御フローチャート図である。
【００５５】
図１において、住宅１の床下は、蓄熱材としてのコンクリート１０５が周囲を断熱材１０４に囲われており、コンクリート１０５の上部には床仕上げ材１０１が設置されており、コンクリート１０５にはポリブテンパイプ２が埋設されており、ポリブテンパイプ２は、熱源機としてのヒートポンプチラー３と搬送手段としてのポンプ４と接続されている。コンクリート１０５の内部には、コンクリート１０５の温度を検出するための第一の温度センサー５が埋設されており、屋外には外気温度を測定するための第二の温度測定手段としての第二の温度センサー６が設置されており、それぞれ第一のマイコン７に接続されている。また、第一のマイコン７は、目標蓄熱量に応じてコンクリート１０５内部に埋設されたポリブテンパイプ２に通水する冷温水温度と冷温水を通水させる時間を決定する蓄熱条件決定手段であり、また、第二のマイコン８は第一のマイコン７により決定された蓄熱条件に従って、ヒートポンプチラー３の運転を制御する熱源機制御手段であり、第三のマイコン９は時刻を把握する時間処理手段である。
【００５６】
上記の構成において、ヒートポンプチラー３は電気料金が割安となる深夜電力時間帯である深夜２３：００〜翌朝７：００の間に運転され、ヒートポンプ３で熱を供給された冷温水がポンプ４により循環され、コンクリート１０５に蓄熱され、前記時間帯の終了時刻７：００以降に床仕上げ材１０１の表面より室内に放熱され空調を行う。
【００５７】
たとえば夏季において、深夜電力時間帯２３：００〜７：００までの８時間に、コンクリート１０５内に冷熱を蓄熱する場合、深夜電力時間帯開始時刻である２３：００以前の任意の時刻Ｉ0、たとえば２２：５０にコンクリート１０５内部の温度ＴC、および、外気温度Ｔairを検出し、その温度に基づいて、蓄熱運転パターンを決定し、蓄熱運転をおこなう。つまり、第一の温度センサー５により検出されたコンクリート１０５の内部温度がＴ1、第二の温度センサー６により検出された外気温度がＴ‘airであり、目標蓄熱量が２４ｋＷであるとする。コンクリート内部温度Ｔ1、外気温度Ｔ‘airにおけるヒートポンプチラー３の冷房運転性能を表１に示す。なお、表１において、平均冷水温度Ｃ1＜Ｃ2＜Ｃ3＜Ｃ4の関係は、Ｃ1＜Ｃ2＜Ｃ3＜Ｃ4である。目標蓄熱量２４ｋＷを８時間で満足させる運転パターンとして、予め、表２に示す様なデータテーブルが与えられている。前記第一のマイコン７は、第一の選択基準として、最も消費電力が低くなる運転パターンを選択するように設定されている。また、第二の選択基準としては、低温の冷水を短時間通水する場合、上流側に位置する蓄熱体部分のみが低温になり、下流側の蓄熱体との温度差が大きくなり、蓄熱体内部の温度分布が床表面にも影響し、居住者に不快感を与えるため、高めの温度の冷水を長時間かけて通水し、大きな温度分布が発生しないような運転パターンを選択するとともに、床表面での結露が発生する恐れのある温度以下に、床表面温度が低下しないような冷水通水温度の運転パターンを選択するように設定が与えられている。従って、前記第一のマイコン７は、まず、前記データテーブルの２６の運転パターンの中から第一の選択基準によって、最も消費電力が低い運転パターンであるパターン２０、２３、２６を選択し、次に、第二の選択基準により、大きな温度分布が生じにくく、床表面結露が発生しない冷水温度と通水時間のパターン２０を選択する。第一のマイコン７は選択した運転パターンを第二のマイコン８に発信し、第二のマイコン８は受信した運転パターンに従って、ヒートポンプチラー３の運転を行い、第三のマイコン９による時刻が、運転パターンで決定した所定時間運転を行い終了時刻（Ｉ＝Ｉend）なったら、ヒートポンプチラー３の運転を停止する。
【００５８】
【表１】
0004450263.tif 000002
【００５９】
【表２】
0004450263.tif 000003
【００６０】
また、冬季の深夜電力時間帯にコンクリート１０５内に温熱を蓄熱する場合も同様であり、深夜電力時間帯開始時刻である２３：００前の任意の時刻Ｉ0、たとえば２２：５０に第一の温度センサー５により検出されたコンクリート１０５の内部温度ＴCを検出し、ＴC＝Ｔ2であり、第二の温度センサー６により検出された外気温度Ｔair＝Ｔ“air、目標蓄熱量が３０ｋＷであるとする。
【００６１】
コンクリート内部温度Ｔ2、外気温度Ｔ“airにおけるヒートポンプチラー３の暖房運転性能を表３に示す。なお、表３において、平均温水温度Ｈ1、Ｈ2、Ｈ3、Ｈ4の関係は、Ｈ1＞Ｈ2＞Ｈ3＞Ｈ4である。目標蓄熱量３０ｋＷを８時間で満足させる運転パターンとして、予め、表４に示す様なデータテーブルが与えられている。前記第一のマイコン５は、第一の選択基準は前記データテーブルの３０の運転パターンの中から第一の選択基準によって、最も消費電力が低い運転パターンであるパターン３０を選択する。この場合、第一の選択基準により選択された運転パターンが１パターンであるため、第二の選択基準による運転パターンの選択は行わない。第一のマイコン７は選択した運転パターンを第二のマイコン８に発信し、第二のマイコン８は受信した運転パターンに従って、ヒートポンプチラー３の運転を行い、第三のマイコン９による時刻が、運転パターンで決定した所定時間運転を行い終了時刻（Ｉ＝Ｉend）なったら、運転を停止する。
【００６２】
【表３】
0004450263.tif 000004
【００６３】
【表４】
0004450263.tif 000005
【００６４】
このように、冷房、暖房の両運転において、蓄熱、および蓄冷時の冷温水の通水温度と通水時間を変化させることにより得られる蓄熱量可変領域の広い蓄熱運転パターンの中から、目標蓄熱量を蓄熱でき、省エネルギー性に優れた運転パターンを選択することができ、かつ、快適性の高い蓄熱空調システムの運転を行うことができる。
【００６５】
なお、本参考例では、蓄熱体としてコンクリートを用いているが、床下の土間にレンガや砂利等を敷き詰めて蓄熱体としても同様の効果が得られ、さらには、水槽内に水、Ｃ１６パラフィン、Ｎａ２ＳＯ４・１０Ｈ２Ｏ／ＮａＣｌ／ＮＨ４Ｃｌ、ＢｕＮＣＨ３ＣＯ２・３２Ｈ２Ｏ、Ｎａ２ＣＯ３・１０Ｈ２Ｏ、Ｃａ（ＮＯ３）２・４Ｈ２Ｏ、などの蓄熱材を封入したものを用いてもよい。
【００６６】
また、蓄熱体を床下に配置しているが、床下に限らず、天井、壁、屋外に配置してもよい。
【００６７】
また、流路としてポリブテンパイプを用いたが、架橋ポリエチレンパイプ、などその他の冷温水を通水可能なパイプを用いてもその作用効果に差異を生じない。
【００６８】
また、熱媒体として冷温水を用いたが、塩化カルシウム水溶液、エチレングリコール水溶液、プロピレングリコール水溶液などのブラインを用いてもその作用効果に差異を生じない。
【００６９】
また、蓄熱運転パターンの選択基準として、消費電力量、および温度分布を用いたが、他の選択基準として、ヒートポンプチラーが深夜電力利用の給湯器の熱源を兼ねている場合、給湯運転を優先させるために蓄熱運転を最小時間で終了させるような選択基準をあたえても良い。
【００７０】
また、目標蓄熱量に対する運転パターンをデータテーブルとしてマイコンに記憶させ、最適な運転パターンを選択させているが、目標蓄熱量に対する最適運転パターンを、検知した蓄熱体温度から演算処理によって決定してもよい。
【００７１】
また、温度測定手段として温度センサーを用いているが、温度センサーとしてはサーミスター、熱電対などが挙げられる。
【００７２】
また、熱源機としてヒートポンプチラー、搬送手段としてポンプ、熱媒体として冷温水を用いたが、熱源機としてヒートポンプチラーを用い、ヒートポンプチラーとファンコイルユニットを接続し、ファンコイルユニットで熱交換された冷温風を熱媒体として用い、スパイラルダクトなどをコンクリートに埋設して用いても同様の効果が得られる。
【００７３】
（実施例１）
次に本発明の実施例１について、図３、および図４を参照しながら説明する。
【００７４】
図３は本実施例に用いる蓄熱空調システムの概略図であり、図４はその制御フローチャート図である。
【００７５】
なお、参考例１と同一部分は同一番号とし、同一の作用効果を有するものとし、詳細な説明は省略する。
【００７６】
コンクリート１０５に流入する冷温水の温度（＝Ｔin）を検出するための第三の温度センサー１０が、ポリブテンパイプ２のコンクリート１０５の流入部に設置され、コンクリート１０５から流出する冷温水の温度（＝Ｔout）を検出するための第四の温度センサー１１が、ポリブテンパイプ２のコンクリート１０５からの流出部に設置されており、第三の温度センサー１０と第四の温度センサー１１は流入流出温度差を算出し、その温度差が所定の範囲であるかないかを判定する第一の温度差判定手段としての第四のマイコン１２に接続されており、第四のマイコン１２はヒートポンプチラー３の運転を制御する第二のマイコン８に接続されている。
【００７７】
上記構成において、冷房、および暖房のいずれかの蓄熱運転時、任意の間隔、たとえば１０分間隔で第三の温度センサー１０と第四の温度センサー１１は検知した温度を電気信号として出力し、出力された信号は第四のマイコン１２に受信される。第四のマイコン１２は、受信した冷温水の流入温度Ｔinと流出温度Ｔoutとの温度差ΔＴ3を演算し、その温度差ΔＴ3がＴ3Ｋ以下であった場合、コンクリート１０５の蓄熱量は飽和状態であり、これ以上冷温水を通水しても蓄熱量が極めて小さいと判断し、蓄熱運転時間内であっても蓄熱運転を終了する判定を行い、運転停止の信号を第二のマイコン８へ発信し、第二のマイコン８は第四のマイコン１２からの信号に従いヒートポンプチラー３の運転を停止させる。
【００７８】
このように、冷温水の流入流出温度差からコンクリート１０５の蓄熱状態を判断し、蓄熱量が目標蓄熱量に達していると判断される場合には、蓄熱運転時間内であっても蓄熱運転を終了させることにより、省エネルギー性に優れた蓄熱運転を行うことができる。
【００７９】
なお、蓄熱状態が目標蓄熱量に達しているか否かの判断基準温度差ΔＴ3がＴ3Ｋ以下と設定したが、このＴ3の設定値は、使用する温度センサーの精度、設計システムに適した値を設定し、また、冷房、暖房運転時それぞれ独立した値を与えてもよい。
【００８０】
（実施例２）
次に本発明の実施例２について、図５、および図６を参照しながら説明する。
【００８１】
図５は本実施例に用いる蓄熱空調システムの概略図であり、図５はその制御フローチャート図である。
【００８２】
なお、参考例１、および実施例１と同一部分は同一番号とし、同一の作用効果を有するものとし、詳細な説明は省略する。
【００８３】
住宅１の屋内に代表室内温度Ｔroomを測定する第五の温度センサー１３が設置されており、第五の温度センサー１３と第二の温度センサー６は室内温度と室外温度との温度差から室内空調負荷の状態を判断する第二の温度差判定手段としての第五のマイコン１４に接続されており、第五のマイコン１４は第二のマイコン８に接続されている。
【００８４】
上記構成において、冷房、および暖房のいずれかの蓄熱運転時、第四のマイコン１２で演算された冷温水流入流出温度差ΔＴ3がＴ3以下である場合、第五のマイコン１４は、第二の温度センサー６と第五の温度センサー１３からの信号を受信し、室内外温度差ΔＴ4を算出し、ΔＴ4がＴ4Ｋ以上の温度範囲であるか否かを判断し、ΔＴ4がＴ4Ｋ以上である場合は、室内空調負荷が大きく、蓄熱運転時間帯における放熱量も大きく、またコンクリート１０５周囲を覆った断熱材１０４を通じての外気への放熱ロスも大きいと判断し、冷温水流入流出温度差ΔＴ3がＴ3以下であっても、ヒートポンプチラー３の運転を継続させるように第二のマイコン８へ強制運転信号を発信する。第二のマイコン８は、第五のマイコン１４からの信号に従い、ヒートポンプチラー３の運転を継続させる。
【００８５】
このように、室内外温度差から室内空調負荷を判断して、空調負荷が大きいと判断される場合は、蓄熱運転を強制的に継続させ快適な室内環境を実現する蓄熱運転を行うことができる。
【００８６】
なお、室内空調負荷の大きさを判断する判断基準温度差としてΔＴ4がＴ4Ｋ以上と設定したが、このＴ4の設定値は、使用する温度センサーの精度、設計システム、地域、建物の立地条件などから判断される適した値を設定し、また、冷房、暖房運転時それぞれ独立した値を与えてもよい。
【００８７】
（実施例３）
次に本発明の実施例３について、図７を参照しながら説明する。
【００８８】
図７は本実施例に用いる蓄熱空調システムの概略図である。
【００８９】
なお、参考例１、実施例１および２と同一部分は同一番号とし、同一の作用効果を有するものとし、詳細な説明は省略する。
【００９０】
ポリブテンパイプ２はコンクリート１０５の流入部で分岐手段としての分岐ヘッダー１５により４系統に分岐され、コンクリート１０５内部にそれぞれの区画ごとに埋設され、分岐されたポリブテンパイプ２はコンクリート１０５からの流出部で結合手段としての結合ヘッダー１６により１パイプに結合されている。
【００９１】
上記構造において、ヒートポンプチラー３からポンプ４により搬送された冷温水はコンクリート１０５に流入する際、分岐ヘッダー１５により４系統に分岐された状態でコンクリート１０５内に流入し、コンクリート１０５内部に一様に埋設されたポリブテンパイプ内部を流れ、コンクリート１０５に蓄熱を行い流出し、結合ヘッダー１６により１パイプとなり、ヒートポンプチラー３へ戻ることになる。
【００９２】
このように、ポリブテンパイプ２をコンクリート１０５内に一様に埋設することにより、コンクリート１０５内を冷温水が一様に流れるため、コンクリート１０５の内部温度分布が一様な状態を得ることができる。
【００９３】
なお、本実施例では分岐ヘッダーにより４系統に分岐したが、建物の規模、ヒートポンプチラー、ポンプの仕様にあわせた系統数に分岐することにより、同様の作用効果が得られる。
【００９４】
（実施例４）
次に本発明の実施例４について、図８、および図９を参照しながら説明する。
【００９５】
図８は本実施例に用いる蓄熱空調システムの概略図であり、図９はその制御フローチャート図である。
【００９６】
なお、参考例１、実施例１、２および３と同一部分は同一番号とし、同一の作用効果を有するものとし、詳細な説明は省略する。
【００９７】
コンクリート１０５へ流入する冷温水の流入温度を検知するための第三の温度センサー１０を分岐ヘッダー１５より上流側のポリブテンパイプ２に設け、分岐ヘッダー１５により４系統に分岐された各ポリブテンパイプ２ａ〜ｄのコンクリート１０５流入直前部分に電磁弁１７ａ〜ｄを設け、４分岐された各ポリブテンパイプ２ａ〜ｄのコンクリート１０５流出直後部分に各ポリブテンパイプ２ａ〜ｄを流れる冷温水の流出温度を検知するための第六の温度センサー１８ａ〜ｄを設け、第六の温度センサー１８ａ〜ｄと第三の温度センサー１０は第三の温度差判定手段としての第六のマイコン１９に接続され、電磁弁１７ａ〜ｄと接続された各電磁弁１７ａ〜ｄの開閉状態を制御する流路開閉制御手段としての第七のマイコン２０と第六のマイコン１９が接続されている。第七のマイコン２０は電磁弁１７ａ〜ｄの開閉状態を記憶する第八のマイコン２１と接続されており、第八のマイコン２１はヒートポンプチラー３の運転を制御する第二のマイコン８とも接続されている。
【００９８】
上記構成において、冷房、および暖房のいずれかの蓄熱運転時、１０分間隔で第三の温度センサー１０と第六の温度センサー１８ａ〜ｄは検知した温度を電気信号として出力し、出力された信号は第六のマイコン１９に受信される。第六のマイコン１９は、受信した各ポリブテンパイプ２ａ〜ｄにおける冷温水の流入温度と流出温度との温度差ΔＴ5ａ〜ｄを演算し、その温度差ΔＴ5ａ〜ｄのいずれかがＴ5Ｋ以下であった場合、Ｔ5Ｋ以下である系統のポリブテンパイプが埋設された区画のコンクリート１０５の蓄熱量は飽和状態であり、これ以上冷温水を通水しても蓄熱量が極めて小さいと判断し、Ｔ5Ｋ以下である系統のポリブテンパイプに設けられた電磁弁１７を閉状態とし、蓄熱運転時間内であっても冷温水の通水を停止させる判定を行い、電磁弁閉弁動作の信号を第七のマイコン２０へ発信し、第七のマイコン２０は第六のマイコン１９からの信号に従い所定の電磁弁１７を閉弁状態とする。各電磁弁１７ａ〜ｄの開閉状態は第八のマイコン２１が記憶しており、すべての系統の電磁弁１７ａ〜ｄが閉弁状態となる場合には、第八のマイコン２１は第二のマイコン８へヒートポンプチラー３の停止信号を発信し、蓄熱運転を停止させる。
【００９９】
このように、すべての系統における冷温水の流入流出温度差ΔＴ5ａ〜ｄから各区画のコンクリート１０５の蓄熱状態を判断し、蓄熱量が目標蓄熱量に達していると判断される区画のコンクリート１０５に埋設された系統のポリブテンパイプへの冷温水の通水を、各系統のポリブテンパイプ２ａ〜ｄに設けられた電磁弁１７ａ、１７ｂ、１７ｃを閉弁状態とし、蓄熱運転時間内であっても任意の区画のコンクリート１０５への蓄熱運転を終了させることにより、目標蓄熱量に達している区画のコンクリート１０５への過剰なエネルギー投入を防止し、目標蓄熱量まで達していない蓄熱エネルギーを必要としている区画へのコンクリート１０５へのエネルギー投入量を増大させる省エネルギー性に優れた蓄熱運転を行うことができる。
【０１００】
（実施例５）
次に本発明の実施例５について、図１０、および図１１を参照しながら説明する。
【０１０１】
図１０は本実施例に用いる蓄熱空調システムの概略図であり、図１１はその制御フローチャート図である。
【０１０２】
なお、参考例１、実施例１、２、３および４と同一部分は同一番号とし、同一の作用効果を有するものとし、詳細な説明は省略する。
【０１０３】
住宅１の屋外に外気温度を測定するための第二の温度センサー６が設置されており、屋内には代表室内温度を測定する第五の温度センサー１３が設置されており、第二の温度センサー６と第五の温度センサー１３は第五のマイコン１４に接続されており、第五のマイコン１４は第七のマイコン２０に接続されている。
【０１０４】
上記構成において、冷房、および暖房のいずれかの蓄熱運転時、第六のマイコン１９で演算された各系統のポリブテンパイプ２ａ〜ｄの流入流出温度差ΔＴ5ａ〜ｄのいずれか、あるいはすべてがＴ5以下である場合、第五のマイコン１４は、第二の温度センサー６と第五の温度センサー１３からの信号を受信し、室内外温度差ΔＴ4を算出し、ΔＴ4がＴ4Ｋ以上の温度範囲であるか否かを判断し、ΔＴ4がＴ4Ｋ以上である場合は、室内空調負荷が大きく、蓄熱運転時間帯における放熱量も大きく、またコンクリート１０５周囲を覆った断熱材１０４を通じての外気への放熱ロスも大きいと判断し、冷温水流入流出温度差ΔＴ5がＴ5以下であっても、Ｔ5以下以下の温度差ΔＴ5が検知されたポリブテンパイプに設けられた電磁弁１７の開弁状態を維持させるように第七のマイコン２０へ強制開弁動作信号を発信する。第七のマイコン２０は第五のマイコン１４からの信号に従い、電磁弁１７の開弁状態を維持させる。
【０１０５】
このように、室内外温度差から室内空調負荷を判断して、空調負荷が大きいと判断される場合は、蓄熱運転を強制的に継続させ快適な室内環境を実現する蓄熱運転を行うことができる。
【０１０６】
（実施例６）
次に本発明の実施例６について、図１２を参照しながら説明する。
【０１０７】
図１２は本実施例に用いる蓄熱空調システムの概略図である。
【０１０８】
なお、参考例１、実施例１、２、３、４および５と同一部分は同一番号とし、同一の作用効果を有するものとし、詳細な説明は省略する。
【０１０９】
分岐ヘッダー１５により４系統に分割されたポリブテンパイプ２ａ〜ｄをコンクリート１０５内部に東西南北に区画分けが出来るように、つまり、２ａが北区画、２ｂが西区画、２ｃが東区画、２ｄが南区画となるように埋設されている。
【０１１０】
上記構成において、床上の室内空調負荷は住宅の方位により異なり、蓄熱終了時点でコンクリート１０５内部の温度分布が一様な状態であっても、室内空調負荷が異なるため、方位によって放熱量に差異が生じ、放熱終了時にはコンクリート１０５内部の蓄熱量は方位によって異なっている。その状態から蓄熱運転を開始した場合、放熱量が小さい方位の区画のコンクリート１０５から順に目標蓄熱量に到達するため、効率良くコンクリート１０５への蓄熱運転を行うことができる。また、各方位ごとに空調負荷が異なるため、予め各方位の区画のコンクリート１０５それぞれに、各方位の空調負荷に応じた目標蓄熱量を与えることにより、すなわち、各区画のコンクリート１０５の目標蓄熱量を変化させることにより、各方位の空調負荷に応じた効率の良い蓄熱運転を行うことが出来る。
【０１１１】
たとえば、夏季の冷熱蓄熱の場合、空調負荷は南区画＞西区画＞東区画＞北区画であったとすると、まず北区画のコンクリート１０５の蓄熱量が目標蓄熱量に達し、北区画のコンクリート１０５に埋設された２ａ系統の流入流出温度差ΔＴ5ａがＴ5以下となり、電磁弁１７ａが閉弁状態となる。その後、空調負荷の小さい順に、東区画の系統であるポリブテンパイプ２ｃに設けられた電磁弁１７ｃ、西区画の系統であるポリブテンパイプ２ｂに設けられた電磁弁１７ｂの順に閉弁状態となり、南区画のコンクリート１０５が目標蓄熱量に達した時点で蓄熱運転が終了される。
【０１１２】
また、冬季の温熱蓄熱の場合も同様であり、空調負荷が北区画＞東区画＞西区画＞南区画であったとすると、南区画、西区画、東区画、北区画の順にコンクリート１０５は目標蓄熱量に達し、電磁弁１７ｄ、１７ｂ、１７ｃの順に閉弁状態となり、北区画のコンクリート１０５が目標蓄熱量に達した時点で蓄熱運転が終了される。
【０１１３】
このように、方位に従ってコンクリート１０５内部にポリブテンパイプ２ａ〜ｄを埋設し、室内の空調負荷に応じた効率の良い蓄熱運転を行うことにより省エネルギー性、快適性に優れた蓄熱運転を行うことが出来る。
【０１１４】
（実施例７）
次に本発明の実施例７について、図１３を参照しながら説明する。図１３は本実施例に用いる蓄熱空調システムの住宅の概略と住宅１の部屋割りを示した図である。
【０１１５】
なお、参考例１、実施例１、２、３、４、５および６と同一部分は同一番号とし、同一の作用効果を有するものとし、詳細な説明は省略する。分岐ヘッダー１５により４系統に分割されたポリブテンパイプ２ａ〜ｄを住宅１の部屋割りに合わせて、つまり、２ａが部屋２２ａ、２ｂが部屋２２ｂ、２ｃが部屋２２ｃ、２ｄが部屋２２ｄの床下コンクリート１０５に配置されるように埋設したものである。
【０１１６】
上記構成において、各部屋２２ａ〜ｄの空調負荷は部屋の方位や用途により異なり、蓄熱終了時点でコンクリート１０５内部の温度分布が一様な状態であっても、各部屋の空調負荷が異なるため、各区画によって放熱量に差異が生じ、放熱終了時にはコンクリート１０５内部の蓄熱量は部屋割りよって異なっている。その状態から蓄熱運転を開始した場合、放熱量が小さい部屋の床下区画のコンクリート１０５から順に目標蓄熱量に到達するため、効率良くコンクリート１０５への蓄熱運転を行うことができる。また、各部屋ごとに空調負荷が異なるため、予め各部屋の床下区画のコンクリート１０５それぞれに、各部屋の空調負荷に応じた目標蓄熱量を与えることにより、すなわち、各部屋の床下区画のコンクリート１０５の目標蓄熱量を変化させることにより、各部屋の空調負荷に応じた効率の良い蓄熱運転を行うことが出来る。
【０１１７】
たとえば、夏季の冷熱蓄熱の場合、空調負荷が部屋２２ｄ＞２２ｃ＞２２ａ＞２２ｂであるとすると、まず部屋２２ｂの床下区画のコンクリート１０５の蓄熱量が目標蓄熱量に達し、部屋２２ｂの床下区画のコンクリート１０５に埋設された２ｂ系統の流入流出温度差ΔＴ5ｂがＴ5以下となり、電磁弁１７ｂが閉弁状態となる。その後、空調負荷の小さい順に、部屋２２ａの系統であるポリブテンパイプ２ａに設けられた電磁弁１７ａ、部屋２２ｃの床下区画の系統であるポリブテンパイプ２ｃに設けられた電磁弁１７ｃの順に閉弁状態となり、部屋２２ｄの床下区画のコンクリート１０５が目標蓄熱量に達した時点で蓄熱運転が終了される。
【０１１８】
また、冬季の温熱蓄熱の場合も同様であり、空調負荷が部屋２２ｄ＞部屋２２ｃ＞部屋２２ｂ＞部屋２２ａであったとすると、部屋２２ａ〜ｄの床下区画の順にコンクリート１０５は目標蓄熱量に達し、電磁弁１７ａ、１７ｂ、１７ｃの順に閉弁状態となり、部屋２２ｄの床下区画のコンクリート１０５が目標蓄熱量に達した時点で蓄熱運転が終了される。
【０１１９】
このように、住宅１の部屋割りに従ってコンクリート１０５内部にポリブテンパイプ２ａ〜ｄを埋設し、各部屋２２ａ〜ｄそれぞれの部屋の空調負荷に応じた効率の良い蓄熱運転を行うことにより省エネルギー性、快適性に優れた蓄熱運転を行うことが出来る。
【０１２０】
（実施例８）
次に本発明の実施例８について、図１４を参照しながら説明する。
【０１２１】
図１４は本実施例に用いる蓄熱空調システムの概略と住宅１の部屋割りを示した図である。
【０１２２】
なお、参考例１、実施例１、２、３、４、５、６および７と同一部分は同一番号とし、同一の作用効果を有するものとし、詳細な説明は省略する。
【０１２３】
分岐ヘッダー１５により４系統に分割されたポリブテンパイプ２ａ〜ｄを住宅１の部屋割り部屋２２ａ〜ｄに合わせて、床下コンクリート１０５に配置されるように埋設し、コンクリート１０５も住宅１の部屋割り部屋２２ａ〜ｄに合わせて断熱材１０４により１０５ａ〜ｄの４区画に仕切ったものである。
【０１２４】
上記構成において、それぞれの区画のコンクリート１０５ａ〜ｄにはそれぞれの区画の床上の部屋の空調負荷に応じた熱量が蓄熱され、それぞれのコンクリート区画の温度が異なっている場合、各コンクリート区画が断熱材１０４によって仕切られてるため、各コンクリート区画間での熱の移動は抑制されるため、床上の部屋の空調負荷に応じて蓄熱された各コンクリート区画の熱は、確実にその床上の部屋の空調に反映されることになる。
【０１２５】
このように、住宅１の部屋割りに合わせて、ポリブテンパイプ２を分岐して埋設し、床下のコンクリート１０５を断熱材１０４により仕切ることにより、床上の部屋の空調負荷に合わせた熱量を、床上の部屋の空調に確実に反映させることができる省エネルギー性、快適性に優れた蓄熱運転を行うことができる。
【０１２６】
なお、本実施例ではポリブテンパイプを住宅１の部屋割りに合わせて埋設し、床下コンクリート１０５も同様に住宅１の部屋割りに合わせて仕切ったが、住宅１の方位に合わせてポリブテンパイプ２を埋設し、コンクリート１０５を住宅１の方位に合わせて仕切っても同様の作用を得ることができる。
【０１２７】
また、分岐させるポリブテンパイプ２の系統数と断熱材１０４によって仕切るコンクリート１０５の区画数を４系統、４区画としているが、住宅１に部屋数に応じた系統数、区画数とすることが望ましい。
【０１２８】
（実施例９）
次に本発明の実施例９について、図１５を参照しながら説明する。
【０１２９】
図１５は本実施例に用いる蓄熱空調システムの概略と住宅１の部屋割りを示した図である。
【０１３０】
なお、参考例１、実施例１、２、３、４、５、６、７および８と同一部分は同一番号とし、同一の作用効果を有するものとし、詳細な説明は省略する。
【０１３１】
分岐ヘッダー１５により４系統に分割されたポリブテンパイプ２ａ〜ｄを住宅１の部屋割り部屋２２ａ〜ｄに合わせて、床下コンクリート１０５に配置されるように埋設し、コンクリート１０５も住宅１の部屋割り部屋２２ａ〜ｄに合わせて断熱材１０４により１０５ａ〜ｄの４区画に仕切り、各区画のコンクリート１０５ａ〜ｄに流入した直後のポリブテンパイプ２ａ〜ｄに冷温水温度を検知するための第三の温度センサー１０ａ〜ｄを設け、各コンクリート区画１０５ａ〜ｄから流出する直前の冷温水温度を検出する第六の温度センサー１８ａ〜ｄが、各コンクリート区画のポリブテンパイプ２ａ〜ｄの流出直前部分に設けられており、第三の温度センサー１０ａ〜ｄと第六の温度センサー１８ａ〜ｄは第六のマイコン１９に接続され、第六のマイコン１９は第七のマイコン２０に接続されている。
【０１３２】
上記構成において、冷房、および暖房のいずれかの蓄熱運転時、１０分間隔で第三の温度センサー１０ａ〜ｄと第六の温度センサー１８ａ〜ｄは検知した温度を電気信号として出力し、出力された信号は第六のマイコン１９に受信される。第六のマイコン１９は、受信した各ポリブテンパイプ２ａ〜ｄにおける冷温水の流入温度と流出温度との温度差ΔＴ5ａ〜ｄを演算し、その温度差ΔＴ5ａ〜ｄのいずれかがＴ5Ｋ以下であった場合、Ｔ5Ｋ以下である系統のポリブテンパイプが埋設された区画のコンクリート１０５ａ〜ｄの蓄熱量は飽和状態であり、これ以上冷温水を通水しても蓄熱量が極めて小さいと判断し、Ｔ5Ｋ以下である系統のポリブテンパイプに設けられた電磁弁１７を閉状態とし、蓄熱運転時間内であっても冷温水の通水を停止させる判定を行い、電磁弁閉弁動作の信号を第七のマイコン２０へ発信し、第七のマイコン２０は第六のマイコン１９からの信号に従い所定の電磁弁１７を閉弁状態とする。すべての系統の温度差ΔＴ5ａ〜ｄがＴ5Ｋ以下となった場合は、第六のマイコン１９は第七のマイコン２０へすべての電磁弁１７ａ〜ｄを閉弁動作とするように信号を発信し、第七のマイコン２０によりすべての電磁弁１７ａ〜ｄを閉弁状態とするとともに、第二のマイコン８へヒートポンプチラー３の停止信号を発信し、蓄熱運転を停止させる。
【０１３３】
このように、断熱材１０４により仕切られた区画のコンクリート１０５ａ〜ｄの冷温水の流入流出温度を検知することにより、各区画のコンクリートの蓄熱状態を把握でき、各区画のコンクリートの蓄熱状態に応じた蓄熱運転を行うことができる。
【０１３４】
（実施例１０）
次に本発明の実施例１０について、図１６、および図１７を参照しながら説明する。
【０１３５】
図１６は本実施例に用いる蓄熱空調システムの概略と住宅１の部屋割りを示した図であり、図１７はそのフローチャート図である。
【０１３６】
なお、参考例１、実施例１、２、３、４、５、６、７、８および９と同一部分は同一番号とし、同一の作用効果を有するものとし、詳細な説明は省略する。
【０１３７】
分岐ヘッダー１５により４系統に分割されたポリブテンパイプ２ａ〜ｄを住宅１の部屋割り部屋２２ａ〜ｄに合わせて、床下コンクリート１０５に配置されるように埋設し、コンクリート１０５も住宅１の部屋割り部屋２２ａ〜ｄに合わせて断熱材１０４により１０５ａ〜ｄの４区画に仕切り、各区画のコンクリート１０５ａ〜ｄに流入した直後のポリブテンパイプ２ａ〜ｄに冷温水温度を検知するための第三の温度センサー１０ａ〜ｄを設け、各コンクリート区画１０５ａ〜ｄから流出する直前の冷温水温度を検出する第六の温度センサー１８ａ〜ｄが、各コンクリート区画のポリブテンパイプ２ａ〜ｄの流出直前部分に設けられており、第三の温度センサー１０ａ〜ｄと第六の温度センサー１８ａ〜ｄは第六のマイコン１９に接続され、第六のマイコン１９は第七のマイコン２０に接続されており、外気温度を検知する第二の温度センサー６を屋外に設置し、住宅１の室温を検知する第五の温度センサー１３を各部屋２２ａ〜ｄの温度を検知するように第五の温度センサー１３ａ〜ｄを各部屋に設置し、第二の温度センサー６と第五の温度センサー１３ａ〜ｄは各室温および外気温度の変化を記憶する記憶手段としての第九のマイコン２３に接続され、第九のマイコン２３は当日の各部屋２２ａ〜ｄの空調負荷を算出する空調負荷算出手段としての第十のマイコン２４、及び、翌日の空調負荷を予測する空調負荷予測手段としての第十一のマイコン２５と接続されており、第十一のマイコン２５は各コンクリート区画１０５ａ〜ｄへの目標蓄熱量を算出する第一の目標蓄熱量算出手段としての第十二のマイコン２６と接続されており、第十二のマイコン２６は目標蓄熱量に応じて最適なヒートポンプチラー３の運転条件を決定する第一のマイコン７に接続されている。
【０１３８】
上記構成において、各部屋に設置された第五の温度センサー１３ａ〜ｄは一定間隔、たとえば１０分間隔で各部屋２２ａ〜ｄの室温Ｔroomａ〜ｄを検知し、第九のマイコン２３へ送信する。第二の温度センサー６も第五の温度センサー１３ａ〜ｄと同時刻に同間隔の１０分間隔で外気温度Ｔairを検知し、第九のマイコン２３へ送信し、第九のマイコン２３は受信した各部屋の室温、外気温度を記憶する。深夜電力時間帯開始時刻である２３：００以前の所定の時刻Ｉ0、たとえば２２：５０に、第九のマイコン２３は前日の２２：５０から現在までの各部屋２２ａ〜ｄの温度変化と外気温度変化を第十のマイコン２４へ送信し、第十のマイコン２４は、受信した各部屋２２ａ〜ｄの温度変化と外気温度変化から、各部屋２２ａ〜ｄの空調負荷Ｑａ〜ｄを算出し、第十一のマイコン２５へ送信する。第十一のマイコン２５は、第九のマイコン２３から現在の外気温度Ｔairと前日の同時刻のＴ"'airを受信し、ＴairとＴ"'airの差に基づいて、空調負荷Ｑａ〜ｄを補正し、翌日の空調負荷Ｑ’ａ〜ｄを算出し、第十二のマイコン２６へ送信する。第十二のマイコン２６は受信したＱ’ａ〜ｄに基づいて、各部屋２２ａ〜ｄの床下のコンクリート区画１０５ａ〜ｄに対する目標蓄熱量Ｗａ〜ｄを決定する。第十二のマイコン２６は決定した各コンクリート区画１０５ａ〜ｄに対する目標蓄熱量Ｗａ〜ｄを第一のマイコン７へ送信し、第一のマイコン７は受信した目標蓄熱量Ｗａ〜ｄに基づいて、最適なヒートポンプチラー３の蓄熱運転条件を決定する。
【０１３９】
このように、前日の各部屋２２ａ〜ｄの温度変化と外気温度変化と現在時刻と前日の同時刻との外気温度差から各コンクリート区画１０５ａ〜ｄの目標蓄熱量Ｗａ〜ｄを決定し、その目標蓄熱量に基づいて蓄熱運転を行うことにより、過剰な蓄熱エネルギーの投入を防止し、省エネルギー性に優れた蓄熱運転を行うことができる。
【０１４０】
（実施例１１）
次に本発明の実施例１１について、図１８を参照しながら説明する。
【０１４１】
図１８は本実施例１２に用いる蓄熱空調システムの概略と住宅１の部屋割りを示した図である。
【０１４２】
なお、参考例１、実施例１、２、３、４、５、６、７、８、９、および１０と同一部分は同一番号とし、同一の作用効果を有するものとし、詳細な説明は省略する。
【０１４３】
分岐ヘッダー１５により４系統に分割されたポリブテンパイプ２ａ〜ｄを住宅１の部屋割り部屋２２ａ〜ｄに合わせて、床下コンクリート１０５に配置されるように埋設し、コンクリート１０５も住宅１の部屋割り部屋２２ａ〜ｄに合わせて断熱材１０４により１０５ａ〜ｄの４区画に仕切り、各区画のコンクリート１０５ａ〜ｄに流入した直後のポリブテンパイプ２ａ〜ｄに冷温水温度を検知するための第三の温度センサー１０ａ〜ｄを設け、各コンクリート区画１０５ａ〜ｄから流出する直前の冷温水温度を検出する第六の温度センサー１８ａ〜ｄが、各コンクリート区画のポリブテンパイプ２ａ〜ｄの流出直前部分に設けられており、第三の温度センサー１０ａ〜ｄと第六の温度センサー１８ａ〜ｄは第六のマイコン１９に接続され、第六のマイコン１９は第七のマイコン２０に接続されており、日時を管理する日時管理手段としての第十三のマイコンはコンクリート１０５への目標蓄熱量を算出する第二の目標蓄熱量演算手段としての第十四のマイコン２８と接続されており、第十四のマイコン２８は目標蓄熱量に応じて最適なヒートポンプチラー３の運転条件を決定する第一のマイコン７に接続されている。
【０１４４】
上記構成において、深夜電力時間帯開始時刻である２３：００以前の所定の時刻Ｉ0、たとえば２２：５０に、第十三のマイコン２７は現在の日時情報を第十四のマイコンに送信する。第十四のマイコン２８には、予め各部屋２２ａ〜ｄの方位、用途が与えられており、各部屋２２ａ〜ｄの床下に位置するコンクリート区画１０５ａ〜ｄに埋設されているポリブテンパイプ２ａ〜ｄの配置が与えられている。第十四のマイコン２８は、受信した日時情報から各部屋２２ａ〜ｄの方位、用途などから翌日の各部屋の空調負荷Ｑ‘ａ〜ｄを予測し、その予測した空調負荷Ｑ‘ａ〜ｄに基づいて各コンクリート区画１０５ａ〜ｄに対する目標蓄熱量Ｗａ〜ｄを決定する。第十四のマイコン２７は決定した各コンクリート区画１０５ａ〜ｄに対する目標蓄熱量Ｗａ〜ｄを第一のマイコン７へ送信し、第一のマイコン７は受信した目標蓄熱量Ｗａ〜ｄに基づいて、最適なヒートポンプチラー３の蓄熱運転条件を決定する。
【０１４５】
このように、日時情報と各部屋２２ａ〜ｄの方位、用途などから各コンクリート区画１０５ａ〜ｄの目標蓄熱量Ｗａ〜ｄを決定し、その目標蓄熱量に基づいて蓄熱運転を行うことにより、翌日の空調負荷に見合った蓄熱エネルギーを投入可能な省エネルギー性に優れた蓄熱運転を行うことができる。
【０１４６】
（実施例１２）
次に本発明の実施例１２について、図１９を参照しながら説明する。
【０１４７】
図１９は本実施例１３に用いる蓄熱空調システムの概略と住宅１の部屋割りを示した図である。
【０１４８】
なお、参考例１、実施例１、２、３、４、５、６、７、８、９、１０、および１１と同一部分は同一番号とし、同一の作用効果を有するものとし、詳細な説明は省略する。
【０１４９】
分岐ヘッダー１５により４系統に分割されたポリブテンパイプ２ａ〜ｄを住宅１の部屋割り部屋２２ａ〜ｄに合わせて、床下コンクリート１０５に配置されるように埋設し、コンクリート１０５も住宅１の部屋割り部屋２２ａ〜ｄに合わせて断熱材１０４により１０５ａ〜ｄの４区画に仕切り、各区画のコンクリート１０５ａ〜ｄに流入した直後のポリブテンパイプ２ａ〜ｄに冷温水温度を検知するための第三の温度センサー１０ａ〜ｄを設け、各コンクリート区画１０５ａ〜ｄから流出する直前の冷温水温度を検出する第六の温度センサー１８ａ〜ｄが、各コンクリート区画のポリブテンパイプ２ａ〜ｄの流出直前部分に設けられており、第三の温度センサー１０ａ〜ｄと第六の温度センサー１８ａ〜ｄは第六のマイコン１９に接続され、第六のマイコン１９は第七のマイコン２０に接続されており、情報サービス提供手段としてインターネットを利用して翌日の気象情報を取り込む気象情報収集手段としての第十五のマイコン２９はコンクリート１０５への目標蓄熱量を算出する第三の目標蓄熱量演算手段としての第十六のマイコン３０と接続されており、第十六のマイコン３０は目標蓄熱量に応じて最適なヒートポンプチラー３の運転条件を決定する第一のマイコン７に接続されている。
【０１５０】
上記構成において、深夜電力時間帯開始時刻である２３：００以前の所定の時刻Ｉ0、たとえば２２：５０に、第十五のマイコン２９はインターネットを利用して翌日の翌日の気象情報を受信する。第十六のマイコン３０には予め各部屋２２ａ〜ｄの方位、用途が与えられており、各部屋２２ａ〜ｄの床下に位置するコンクリート区画１０５ａ〜ｄに埋設されているポリブテンパイプ２ａ〜ｄの配置が与えられている。第十六のマイコン３０は受信した翌日の気象情報、たとえば最高気温、最低気温、天候などの情報と各部屋２２ａ〜ｄの方位、用途などから翌日の各部屋の空調負荷Ｑ‘ａ〜ｄを予測し、その予測した空調負荷Ｑ‘ａ〜ｄに基づいて各コンクリート区画１０５ａ〜ｄに対する目標蓄熱量Ｗａ〜ｄを決定する。第十六のマイコン３０は決定した各コンクリート区画１０５ａ〜ｄに対する目標蓄熱量Ｗａ〜ｄを第一のマイコン７へ送信し、第一のマイコン７は受信した目標蓄熱量Ｗａ〜ｄに基づいて、最適なヒートポンプチラー３の蓄熱運転条件を決定する。
【０１５１】
このように、翌日の気象情報と各部屋２２ａ〜ｄの方位、用途などから各コンクリート区画１０５ａ〜ｄの目標蓄熱量Ｗａ〜ｄを決定し、その目標蓄熱量に基づいて蓄熱運転を行うことにより、翌日の空調負荷に見合った蓄熱エネルギーを投入可能な省エネルギー性に優れた蓄熱運転を行うことができる。
【０１５２】
なお、本実施例では情報サービス提供手段としてインターネットを用いたが、電話気象情報サービス、テレビおよびラジオによる天気予報など、翌日気象情報を入手可能な情報サービス提供手段であれば同様の作用効果を得られる。
【０１５３】
（実施例１３）
次に本発明の実施例１３について、図２０を参照しながら説明する。
【０１５４】
図２０は本実施例１４に用いる蓄熱空調システムの概略図である。
【０１５５】
なお、参考例１、実施例１、２、３、４、５、６、７、８、９、１０、１１、および１２と同一部分は同一番号とし、同一の作用効果を有するものとし、詳細な説明は省略する。
【０１５６】
ヒートポンプチラー３の蓄熱運転条件を居住者に知らせるための運転条件表示手段としての第一のディスプレイ３１は、最適な蓄熱運転条件を決定する第一のマイコン７と居住者が蓄熱運転条件を任意に設定できる蓄熱運転設定手段としてのコントロールユニット３２と接続されており、コントロールユニット３２、および、ヒートポンプチラー３の運転状態を表示するための運転状態表示手段としての第二のディスプレイ３３はヒートポンプチラー３の運転を制御する第二のマイコン８と接続されている。
【０１５７】
上記構成において、第一のディスプレイ３１には目標蓄熱量、蓄熱運転時間、消費電力等を表示させる。コントロールユニット３２は、ヒートポンプチラー３の「運転」および「停止」、目標蓄熱量を「標準」として、標準よりも蓄熱量を増大させる運転条件として「パワフル」、標準よりも蓄熱量を減少させる運転条件として「ひかえめ」の三段階を居住者が任意に設定でき、また、蓄熱運転時間の増減を任意に設定できるものである。第二のディスプレイ３３には、ヒートポンプチラー３の「運転」および「停止」、第一のマイコン７により決定された運転条件で運転を行なっている場合の「自動」、居住者が任意に設定した運転時間条件で蓄熱運転を行ない、深夜電力時間帯を超過して運転している場合の「消し忘れ」、などの表示を行なう。
【０１５８】
深夜電力時間帯開始時刻である２３：００以前の所定の時刻Ｉ0、たとえば２２：５０に、第一のマイコン７は第一のディスプレイ３１に「自動」、「標準」、「目標蓄熱量」「決定した蓄熱運転時間」および「消費電力」の表示を行なう。居住者は第一のディスプレイ３１に表示された蓄熱運転条件を変更したい場合は、コントロールユニット３２により、好みの運転条件を設定する。第一のディスプレイ３１は「自動」の表示を消灯させ、コントロールユニット３２により設定された蓄熱運転条件を再表示する。第二のマイコン８は、第一のディスプレイ３１に表示された蓄熱運転条件に従ってヒートポンプチラー３の運転を制御する。また、ヒートポンプチラー３を居住者が任意に運転させ、深夜電力時間帯を過ぎても運転が継続されている場合、第二のディスプレイ３３は「消し忘れ」の表示を行ない居住者にヒートポンプチラー３の蓄熱運転の停止忘れを知らせる。
【０１５９】
このように、コンクリート１０５への蓄熱量を居住者の好みの合わせて制御することにより、居住者への快適性の高い蓄熱運転を行なうことができる。
【０１６０】
なお、本実施例では第一のディスプレイ３１、コントロールユニット３２、第二のディスプレイ３３を独立させた機器をしたが、それぞれの機能を１つのユニットとしても同様の作用効果が得られる。
【０１６１】
（実施例１４）
次に本発明の実施例１４について、図２１を参照しながら説明する。
【０１６２】
図２１は本実施例１５に用いる蓄熱空調システムの概略図である。
【０１６３】
なお、参考例１、実施例１、２、３、４、５、６、７、８、９、１０、１１、１２および１３と同一部分は同一番号とし、同一の作用効果を有するものとし、詳細な説明は省略する。
【０１６４】
通信手段としての電話回線３４に接続され翌日の気象情報を取り込む情報処理端末機としてのパソコン３５は第十六のマイコン３０、第一のマイコン７および第二のマイコン８と接続されている。
【０１６５】
上記構成において、パソコン３５は目標蓄熱量、蓄熱運転時間、消費電力、ヒートポンプチラー３の「運転」および「停止」、第一のマイコン７により決定された運転条件で運転を行なっている場合の「自動」、居住者が任意に設定した運転時間条件で蓄熱運転を行ない、深夜電力時間帯を超過して運転している場合の「消し忘れ」等を表示可能な機能、および、ヒートポンプチラー３の「運転」および「停止」、目標蓄熱量を「標準」として、標準よりも蓄熱量を増大させる運転条件として「パワフル」、標準よりも蓄熱量を減少させる運転条件として「ひかえめ」の三段階を居住者が任意に設定でき、また、蓄熱運転時間の増減を任意に設定できる機能を有する。
【０１６６】
深夜電力時間帯開始時刻である２３：００以前の所定の時刻Ｉ0、たとえば２２：５０に、パソコン３５は電話回線３４からインターネットを利用して翌日の気象情報を入手する。入手された翌日の気象情報は第十六のマイコン３０へ転送される。第十六のマイコン３０は受信した翌日の気象情報、たとえば最高気温、最低気温、天候から翌日の各部屋の空調負荷Ｑ‘を予測し、その予測した空調負荷Ｑ‘に基づいてコンクリート１０５への目標蓄熱量Ｗを決定する。第十六のマイコン３０は決定した目標蓄熱量Ｗを第一のマイコン７へ送信し、第一のマイコン７は受信した目標蓄熱量Ｗに基づいて、最適なヒートポンプチラー３の蓄熱運転条件を決定する。第一のマイコン７は決定した蓄熱運転条件をパソコン３５に送信し、パソコン３５は画面上に「自動」、「標準」、「目標蓄熱量」「決定した蓄熱運転時間」および「消費電力」の表示を行なう。居住者はパソコン３５の画面に表示された蓄熱運転条件を変更したい場合は、パソコン３５より好みの運転条件を設定する。パソコン３５は「自動」の表示を消灯させ、設定された蓄熱運転条件を再表示する。第二のマイコン８は、パソコン３５に表示された蓄熱運転条件に従ってヒートポンプチラー３の運転を制御する。また、ヒートポンプチラー３を居住者が任意に運転させ、深夜電力時間帯を過ぎても運転が継続されている場合、パソコン３５は「消し忘れ」の表示を行ない居住者にヒートポンプチラー３の蓄熱運転の停止忘れを知らせる。
【０１６７】
このように、パソコン３５で入手した翌日の気象情報から目標蓄熱量Ｗを決定し、その目標蓄熱量に基づいて蓄熱運転を行うことにより、翌日の空調負荷に見合った蓄熱エネルギーを投入可能な省エネルギー性に優れた蓄熱運転を行うことができ、また、コンクリート１０５への蓄熱量をパソコン３５を用いて居住者の好みに合わせて制御することにより、居住者への快適性の高い蓄熱運転を行なうことができ、他の目的に使用するパソコン３５に蓄熱空調システムの管理手段としての機能を持たせることにより蓄熱空調システム専用のコントロールユニットを不要とすることができる。
【０１６８】
なお、本実施例では通信手段としてパソコンに電話回線を接続させたが、パソコンに無線機の機能を持たせ無線通信としても同様の作用効果が得られる。
【０１６９】
また、情報処理端末機としてパソコンを用いたが、通信手段を有する家庭用ゲーム機、など外部から気象情報を入手でき、蓄熱空調システムの運転設定を変更可能な設定機能を有する、あるいは設定手段を接続可能なものであれば同様の作用効果が得られる。
【０１７１】
【発明の効果】
以上の実施例から明らかなように、本発明によれば、コンクリートへの過剰な蓄熱エネルギーの投入を防止できる蓄熱空調システムを提供できる。また、目標蓄熱量に対して最低消費電力で蓄熱運転が可能な省エネルギー性に優れ、かつ、温度分布の少ない快適性の高い蓄熱運転を行うことができる蓄熱空調システムを提供できる。
【０１７２】
また、空調負荷に応じた蓄熱運転を行うことのできる蓄熱空調システムを提供できる。
【０１７３】
また、コンクリート内部に一様な温度分布を得ることのできる蓄熱空調システムを提供できる。
【０１７４】
また、目標蓄熱量に達している区画のコンクリートへの過剰なエネルギー投入を防止し、目標蓄熱量まで達していない蓄熱エネルギーを必要としている区画のコンクリートへのエネルギー投入量を増大させることのできる蓄熱空調システムを提供できる。
【０１７５】
また、方位に従ってコンクリート内部に分岐させたポリブテンパイプを埋設し、方位によって異なる空調負荷に応じて蓄熱運転を行うことができる蓄熱空調システムを提供できる。
【０１７６】
また、住宅の部屋割りに従ってコンクリート内部にポリブテンパイプを埋設し、各部屋それぞれの空調負荷に応じた効率の良い蓄熱運転を行うことができる蓄熱空調システムを提供できる。
【０１７７】
また、床下のコンクリートを断熱材により数区画に仕切り、床上の空調負荷に合わせた各区画によって異なる熱量の各区画間の移動を抑制でき、床上空間の空調に確実に反映させることができる蓄熱空調システムを提供できる。
【０１７８】
また、各区画のコンクリートの蓄熱状態を把握でき、各区画のコンクリートの蓄熱状態に応じた蓄熱運転を行うことができる蓄熱空調システムを提供できる。
【０１７９】
また、前日の室内温度変化と外気温度変化と現在時刻と前日の同時刻との外気温度差から目標蓄熱決定し、その目標蓄熱量に基づいて蓄熱運転を行うことにより、過剰な蓄熱エネルギーの投入を防止できる蓄熱空調システムを提供できる。
【０１８０】
また、日時情報と各部屋の方位、用途などから目標蓄熱量を決定し、その目標蓄熱量に基づいて蓄熱運転を行うことにより、過剰な蓄熱エネルギーの投入を防止できる蓄熱空調システムを提供できる。
【０１８１】
また、翌日の気象情報と各部屋の方位、用途などから目標蓄熱量を決定し、翌日の空調負荷に見合った蓄熱エネルギーを投入可能な蓄熱空調システムを提供できる。
【０１８２】
また、蓄熱量を居住者の好みに合わせて制御することにより、居住者への快適性の高い蓄熱運転を行なうことができる蓄熱空調システムを提供できる。
【０１８３】
また、翌日の気象情報と各部屋の方位、用途などから目標蓄熱量を決定し、翌日の空調負荷に見合った蓄熱エネルギーを投入可能であり、パソコンを用いて蓄熱量を居住者の好みに合わせて制御することにより、居住者への快適性が高い蓄熱運転ができ、専用コントローラーを不要とする蓄熱空調システムを提供できる。
【図面の簡単な説明】
【図１】本発明の実施例１の蓄熱空調システムの概略図
【図２】同蓄熱空調システムの制御制御フローチャート
【図３】本発明の実施例２の蓄熱空調システムの概略図
【図４】同蓄熱空調システムの制御フローチャート
【図５】本発明の実施例３の蓄熱空調システムの概略図
【図６】同蓄熱空調システムの制御フローチャート
【図７】本発明の実施例４の蓄熱空調システムの概略図
【図８】本発明の実施例５の蓄熱空調システムの概略図
【図９】同蓄熱空調システムの制御制御フローチャート
【図１０】本発明の実施例６の蓄熱空調システムの概略図
【図１１】同蓄熱空調システムの制御制御フローチャート
【図１２】本発明の実施例７の蓄熱空調システムの概略図
【図１３】本発明の実施例８の蓄熱空調システムの概略図
【図１４】本発明の実施例９の蓄熱空調システムの概略図
【図１５】本発明の実施例１０の蓄熱空調システムの概略図
【図１６】本発明の実施例１１の蓄熱空調システムの概略図
【図１７】同蓄熱空調システムの制御制御フローチャート
【図１８】本発明の実施例１２の蓄熱空調システムの概略図
【図１９】本発明の実施例１３の蓄熱空調システムの概略図
【図２０】本発明の実施例１４の蓄熱空調システムの概略図
【図２１】本発明の実施例１５の蓄熱空調システムの概略図
【図２２】従来の蓄熱空調システムの概略図
【符号の説明】
１         住宅
２         ポリブテンパイプ
２ａ〜ｄ   ポリブテンパイプ
３         ヒートポンプチラー
４         ポンプ
５         第一の温度センサー
６         第二の温度センサー
７         第一のマイコン
８         第二のマイコン
９         第三のマイコン
１０       第三の温度センサー
１１       第四の温度センサー
１２       第四のマイコン
１３       第五の温度センサー
１４       第五のマイコン
１５       分岐ヘッダー
１６       結合ヘッダー
１７ａ〜ｄ 電磁弁
１８ａ〜ｄ 第六の温度センサー
１９       第六のマイコン
２０       第七のマイコン
２１       第八のマイコン
２２ａ〜ｄ 部屋
２３       第九のマイコン
２４       第十のマイコン
２５       第十一のマイコン
２６       第十二のマイコン
２７       第十三のマイコン
２８       第十四のマイコン
２９       第十五のマイコン
３０       第十六のマイコン
３１       第一のディスプレイ
３２       コントロールユニット
３３       第二のディスプレイ
３４       電話回線
３５       パソコン
【図１】
0004450263.tif 000006
【図２】
0004450263.tif 000007
【図３】
0004450263.tif 000008
【図４】
0004450263.tif 000009
【図５】
0004450263.tif 000010
【図６】
0004450263.tif 000011
【図７】
0004450263.tif 000012
【図８】
0004450263.tif 000013
【図９】
0004450263.tif 000014
【図１０】
0004450263.tif 000015
【図１１】
0004450263.tif 000016
【図１２】
0004450263.tif 000017
【図１３】
0004450263.tif 000018
【図１４】
0004450263.tif 000019
【図１５】
0004450263.tif 000020
【図１６】
0004450263.tif 000021
【図１７】
0004450263.tif 000022
【図１８】
0004450263.tif 000023
【図１９】
0004450263.tif 000024
【図２０】
0004450263.tif 000025
【図２１】
0004450263.tif 000026
【図２２】
0004450263.tif 000027